(57)【要約】【課題】各機能ごとの無線タグを準備することで、大容量デバイスを不要とし、温水洗浄装置側の機能の追加又は変更もソフト的に対応することのできるリモコン一体型のペーパホルダを提供せんとするものである。【解決手段】無線電波を受信するアンテナ３と、無線電波を受信して電源の供給を受け、この電源を利用してデータをアンテナ３から送信する無線タグＩＣ４と、当該無線タグＩＣ４のデータの送信をＯＮ／ＯＦＦ制御するスイッチ６とを一つの無線タグ６としている。そして、当該無線タグ６を複数組設けてリモコン本体２とし、当該リモコン本体２をペーパホルダ本体９等のトイレ用備品に設けている。【選択図】  図１
2005090062.tif 000002
【特許請求の範囲】
【請求項１】
無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとで一つの無線タグを構成し、当該無線タグを複数組設けてリモコン本体とし、当該リモコン本体をペーパホルダ本体，棚板，手摺り等に設けたことを特徴とするリモコン一体型のトイレ用備品。
【請求項２】
無線タグのアンテナをペーパホルダ本体，棚板，手摺り等に設けたことを特徴とする請求項１に記載のリモコン一体型のトイレ用備品。
【請求項３】
無線タグと情報のやりとりを行うリーダ側のアンテナをペーパホルダ本体，棚板，手摺り等に設けたことを特徴とする請求項１に記載のリモコン一体型のトイレ用備品。
【発明の詳細な説明】
【技術分野】
【０００１】
本発明は、無線電波（ここでは電磁波を含む、以下同じ）を受信して電源の供給を受け、この電源を利用してデータをアンテナから送信する無線タグＩＣを用いた電源の内蔵及び配線を不要とするリモコン装置を、ペーパホルダや棚板，手摺り等のトイレ用備品に一体的に組み込んだ技術に関するものである。
【背景技術】
【０００２】
通常、洋風便器に設置された温水洗浄装置を操作するリモコン装置としては、リモコン本体をトイレ室の壁面に取り付けたり、便器本体の側面（脇）に取り付けたりしている。ところが、リモコン本体を壁面へ取り付ける場合は、便器本体等とリモコン本体とが分離することになり、別々の設置工事が必要であった。またリモコン本体だけが分離する形となり、見栄えも悪いという欠点があった。
一方、便器本体の脇に取り付けられるリモコン装置にあっては、小便水を引っ掛けられて故障の原因となることがある。
【０００３】
そのため、従来にあっては、特許文献１に示すように、ペーパホルダにリモコン装置を一体的に組み込んだものが開発されている。この発明によれば、ペーパホルダ本体とリモコン本体とを一つの施行作業で同時に行うことが可能であり、また壁面にリモコン本体が単独で取り付けられるということがないので、見栄えも良好である。ところが、この特許文献１の発明ではリモコン本体の電源及び配線についての記載がなく、通常は内臓した電池及び／又は家庭用屋内配線からの電源を利用している。
【０００４】
一方、特許文献２に示すように、リモコン受信機側（リーダ側）とリモコン送信機側（リモコン本体側）との間をＲＦ波で送受信し、リーダ側からのＲＦ波をリモコン本体側が受信することにより、誘導起電力を発生させて動作用及び送信用の電源を確保し、外部及び内部電源を不要とする技術が出願済みである。
【特許文献１】特開２００１−５４４８５号公報
【特許文献２】特開平８−３３１４０９号公報
【発明の開示】
【発明が解決しようとする課題】
【０００５】
このように特許文献１のペーパホルダに特許文献２のリモコン装置を組み込むことにより、電源を不要とし、またトイレ室内全体の見栄えもよくすることのできる温水洗浄装置用のリモコン装置の創作が可能である。
しかしながら、特許文献２に組み込まれたリモコン装置にあっては、温水洗浄装置のある機能を動作させようとする場合には、予め決められたキーを選択して入力することで、これに対応した送信コードを発生させ、これをリーダ側へ送信している。そして、温水洗浄装置を制御するリーダ側では、受信した前記送信コードを所定の信号に変換し、温水洗浄装置の制御マイコンへ信号出力して所定の機能を行わせている。
【０００６】
このように、特許文献２の技術では、一つの送信コード発生部の中で複数のコードを発生させるようにしており、送信コード発生部自体の容量に大きい電子デバイスが必要であった。また複数のキーの中から選択したキーに対応するコードを発生させなければならず、これを管理するためのプログラムソフト自体も複雑なものとならざるを得なかった。更に、温水洗浄装置の機能を変更する場合には、それぞれが複雑な構成を有しており、更にこれらが相互にリンクしているため、リモコン本体側の全体を交換する必要があった。
【０００７】
本発明は従来の前記課題に鑑みてこれを改良除去したものであって、各機能ごとの無線タグを準備することで、大容量デバイスを不要とし、温水洗浄装置側の機能の追加又は変更もソフト的に対応することのできるリモコン一体型のトイレ用備品を提供せんとするものである。
【課題を解決するための手段】
【０００８】
而して、前記課題を解決するために本発明が採用した請求項１の手段は、無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとで一つの無線タグを構成し、当該無線タグを複数組設けてリモコン本体とし、当該リモコン本体をペーパホルダ本体，棚板，手摺り等に設けている。
【０００９】
本発明が採用した請求項２の手段は、無線タグのアンテナをペーパホルダ本体，棚板，手摺り等に設けたことを特徴とする請求項１に記載のリモコン一体型のトイレ用備品である。
【００１０】
本発明が採用した請求項３の手段は、無線タグと情報のやりとりを行うリーダ側のアンテナをペーパホルダ本体，棚板，手摺り等に設けたことを特徴とする請求項１に記載のリモコン一体型のトイレ用備品である。
【発明の効果】
【００１１】
このように請求項１の発明にあっては、アンテナと、無線タグＩＣと、スイッチとで一つの無線タグを構成している。異なるデータの書き込まれた無線タグＩＣを備えた無線タグを複数組準備すれば、多機能を有するリモコン本体を構成することができる。また無線タグのデータをリーダ／ライタで書き換えるだけで、温水洗浄装置の機能を変更することができ、ソフト的な対応が可能である。更に、温水洗浄装置の機能の追加は、そのようにデータが書き込まれた無線タグＩＣを備えた無線タグを付加することのみで対応可能である。
【００１２】
また本発明にあっては、無線タグのアンテナをペーパホルダ本体，棚板，手摺り等に設けている。この場合、コイル状のアンテナの大きさを無線タグ内に設ける場合に比較して大きくできるので、その巻数を少なくすることが可能であり、小型化が可能である。
【００１３】
更に、本発明にあっては、無線タグと情報のやりとりを行うリーダ側のアンテナをペーパホルダ本体，棚板，手摺り等に設けるようにしているので、リーダ側のアンテナの設置場所を、壁等に設ける必要がなくなり、工事が簡単になる。また機器側にリーダ側のアンテナを設ける場合に比較して通信距離が短く、切り換え制御が確実に行えるという利点もある。
【発明を実施するための最良の形態】
【００１４】
以下に、本発明の構成を図面に示す発明の実施の形態に基づいて説明すると次の通りである。図１は本発明の第１の実施の形態に係るものであり、図（Ａ）はペーパホルダ１の全体を示す透視斜視図、図（Ｂ）はリモコン装置２の電気回路構成を示す図面である。同図に示す如く、この実施の形態のペーパホルダ１は、トイレ室の壁面へ取り付けられる基板７と、枢軸８を中心にして開閉自在な上蓋９と、基板７に取り付けられたロール状ペーパ１０を回転自在に支持するアーム１１と、上蓋９の前端縁に取り付けられた紙切り板１２とで構成されている。
【００１５】
またリモコン装置２は、ペーパホルダ１の上蓋９に一体的に取り付けられており、便器本体の便座に着座している使用者にとってその操作性が良いように配慮されている。その構成は、無線電波を送受信するアンテナ３と、無線電波を受信して電源の供給を受け、この電源を利用してデータをアンテナ３から送信する無線タグＩＣ４と、当該無線タグＩＣ４のデータの送信をＯＮ／ＯＦＦ制御するスイッチ５とで一つの無線タグ６を構成している。そのリモコン装置２では、無線タグ６が四組設けられている。これらは動作を「切」にするためのものと、温水洗浄装置の水勢の「強」、「中」、「弱」の切り換え用の四種である。スイッチ５は、リミットスイッチであってもよく、静電容量センサーであってもよい。静電容量センサーである場合は、指先でセンサーをタッチすればよい。無線タグＩＣ４は、温水洗浄装置の機器本体を制御するリーダ（図示せず）と無線電波で送受信を行うように設定されている。
【００１６】
次に、このように構成されたリモコン装置２の動作態様を説明する。使用者がトイレ室内へ入ると、これを人体検知センサーが検知し、温水洗浄装置の機器本体を制御するリーダが起動状態となり、無線タグＩＣ４へ向けて電波が送信される。無線タグＩＣ４は、そのスイッチ５が閉じられたときに、この電波をアンテナ３で受信する。これにより無線タグＩＣ内部の電圧発生回路に動作用の電圧が発生する。通常の状態では、スイッチ５は開放されており、無線タグＩＣ４はリーダ側から電波が送信されてもこれを受信可能な待機状態にある。
【００１７】
このような状態から、例えば温水洗浄装置の水勢を「強」で吐出させたい場合は、これに該当するペーパホルダ１の上蓋９に一体的に設置されたスイッチ５（図（Ｂ）の左側から二番目のスイッチ）に指先を近づけるか又はタッチする。これにより、「強」のスイッチ５が閉となり、アンテナ３がリーダ側の電波を受信し、誘導起電力により無線タグＩＣ４内部の電圧発生回路に動作用の電圧を発生させる。そして、メモリーに記憶されているデータを読み取り、当該データを無線通信インターフエイスを通じてアンテナ３から温水洗浄装置のリーダ側へ送信する。リーダでは、送信されたデータに応じて水勢を「強」にする制御動作が行われる。洗浄終了後は、「切」のスイッチ５を閉となるように操作すればよい。これにより、「強」の水勢で吐出している温水洗浄装置の洗浄動作が停止となる。このリモコン装置２では、このようにして、無線通信方式によるリモコン操作が行われたことになる。温水洗浄装置の使用者は、同様にして操作したい機能に応じてリモコン装置２の対応する無線タグ６のスイッチ５を選択して操作すればよい。
【００１８】
なお、温水洗浄装置の機能を変更する場合には、リモコン装置２側では無線タグＩＣ４に書き込んだ情報の内容を書き換えるだけのソフト対応のみでよく、リーダライタによって外部から容易に行うことが可能である。また図（Ｂ）に示すリモコン装置では、アンテナ３を無線タグＩＣ４の周囲に巻回しているコイル状にしているが、これであればその大きさが使用周波数の波長の大きさに比較して小さく、巻数が多くなる。ところが、図（Ａ）に示すように、ペーパホルダ１の上蓋９にアンテナ１３を設けるようにした場合は、その巻数を低減することが可能である。更に、ペーパーホルダ１の基板７には、リーダ側のアンテナ１４を設けるように構成することも可能である。但し、この場合はアンテナ１４をリーダ側の無線タグＩＣと配線接続することが必要である。
【００１９】
図２は本発明の第２の実施の形態に係るものである。この実施の形態では、トイレ室壁面に取り付けられた棚板（肘掛け兼用の棚板）１５の上面に、リモコン装置２を設置している。肘掛け兼用の棚板１５は、手を置き易い位置に設置してあり、便器使用中のリモコン装置２の操作も、非常にし易いものとなる。なお、この場合、無線タグ６のアンテナ３は、棚板１５の上面に形成してもよい。その他の構成並びに作用効果は、前記第１の実施の形態の場合と同じである。
【００２０】
図３は本発明の第３の実施の形態に係るものである。この実施の形態では、前記棚板１５上に立設された手摺り１６の上部側外周面に、リモコン装置２を設置している。その他の構成並びに作用効果は、前記第１及び第２の実施の形態の場合と同じである。
【００２１】
ところで、本発明は上述した実施の形態に限定されるものではなく、例えば、温水洗浄装置の機能と、これに対応する無線タグＩＣ４及びアンテナ３並びにスイッチ５からなる無線タグ６の数等は適宜の変更が可能である。
【図面の簡単な説明】
【００２２】
【図１】本発明の第１の実施の形態に係るものであり、図（Ａ）はペーパホルダの透視斜視図、図（Ｂ）はリモコン装置の回路図である。
【図２】本発明の第２の実施の形態に係るものであり、トイレ室壁面の棚板を示すトイレ室全体の斜視図である。
【図３】本発明の第３の実施の形態に係るものであり、トイレ室壁面の棚板に取り付けられた手摺りを示すトイレ室全体の斜視図である。
【符号の説明】
【００２３】
１…ペーパホルダ、２…リモコン装置、３…アンテナ、４…無線タグＩＣ、５  …スイッチ、６…無線タグ、７…基板、９…上蓋、１０…ロール状のペーパ、  １２…紙切り板、１３…無線タグ側アンテナ、１４…リーダ側アンテナ
【図１】
2005090062.tif 000003
【図２】
2005090062.tif 000004
【図３】
2005090062.tif 000005